(57)【特許請求の範囲】
【請求項１】
搬送される紙葉類に形成された透かし画像について、表面及び裏面の反射光をそれぞれ受光する第１受光手段及び第２受光手段と、
前記第１受光手段及び第２受光手段で受光したそれぞれの反射光による透かし画像を、明るさを有する色情報を含み、所定の大きさを１単位とする画素毎に変換する変換部と、
前記変換部で変換された第１受光手段及び第２受光手段それぞれの画素毎の濃度値と、基準となる紙葉類の透かし画像の透過光による画素毎の濃度値とに基づいて透かし画像の真贋を識別する識別処理部と、
を有することを特徴とする紙葉類識別装置。
【請求項２】
前記第１受光手段及び第２受光手段の一方は、前記搬送される紙葉類の透かし画像の透過光を受光可能であり、
前記識別処理部は、前記第１受光手段及び第２受光手段の一方で取得した透かし画像の透過光による画素毎の濃度値と、前記基準となる紙葉類の透かし画像の透過光による画素毎の濃度値とに基づいて透かし画像の真贋を識別することを特徴とする請求項１に記載の紙葉類識別装置。
【請求項３】
前記識別処理部は、前記搬送される紙葉類の透かし画像から取得される反射光による画素毎の濃度値と、基準となる紙葉類の透かし画像の透過光による画素毎の濃度値とから相関係数を算出し、その相関係数に基づいて透かし画像の真贋を識別することを特徴とする請求項１に記載の紙葉類識別装置。
【請求項４】
前記識別処理部は、前記搬送される紙葉類の透かし画像から取得される透過光による画素毎の濃度値と、基準となる紙葉類の透かし画像の透過光による画素毎の濃度値とから相関係数を算出し、その相関係数に基づいて透かし画像の真贋を識別することを特徴とする請求項２に記載の紙葉類識別装置。
【請求項５】
前記識別処理部は、相関係数を算出する際に、基準となる紙葉類の透かし画像の画素位置に対応するように、取得した画像の画素位置を移動させて位置補正を実行し、相関係数の絶対値が最も高いところを抽出して真贋を識別することを特徴とする請求項３又は４に記載の紙葉類識別装置。
【請求項６】
前記識別処理部は、前記第１受光手段及び第２受光手段で受光したそれぞれの透かし画像を合成して１つの画像として画素毎の濃度値を取得し、この取得した合成画像による画素毎の濃度値と、前記基準となる紙葉類の透かし画像の透過光による画素毎の濃度値とに基づいて透かし画像の真贋を識別することを特徴とする請求項１から５のいずれか１項に記載の紙葉類識別装置。
【請求項７】
明るさを有する色情報を含み、所定の大きさを１単位とする画素毎に、搬送される紙葉類に形成された透かし画像の両面側から反射光を取得する画像取得工程と、
前記透かし画像のそれぞれの面で取得された反射光による画素毎の濃度値と、基準となる紙葉類の透かし画像の透過光による画素毎の濃度値とに基づいて、透かし画像の真贋を識別する反射光による真贋識別工程と、
を有することを特徴とする紙葉類識別方法。
【請求項８】
前記画像取得工程は、明るさを有する色情報を含み、所定の大きさを１単位とする画素毎に、搬送される紙葉類に形成された透かし画像の透過光を取得し、
前記画像取得工程で取得した透かし画像の透過光による画素毎の濃度値と、基準となる紙葉類の透かし画像の透過光による画素毎の濃度値とに基づいて、透かし画像の真贋を識別する透過光による真贋識別工程をさらに有することを特徴とする請求項７に記載の紙葉類識別方法。
【請求項９】
前記反射光による真贋識別工程、及び透過光による真贋識別工程において、基準となる紙葉類の透かし画像の画素位置に対応するように、取得した透かし画像の画素位置を移動させて位置補正を実行して真贋を識別することを特徴とする請求項７又は８に記載の紙葉類識別方法。
【請求項１０】
前記反射光による真贋識別工程は、両面側から得られるそれぞれの透かし画像を合成して１つの画像として画素毎の濃度値を取得し、この取得した合成画像による画素毎の濃度値と、前記基準となる紙葉類の透かし画像の透過光による画素毎の濃度値とに基づいて透かし画像の真贋を識別することを特徴とする請求項７から９のいずれか１項に記載の紙葉類識別方法。
【発明の詳細な説明】
【技術分野】
【０００１】
本発明は、紙幣、商品券、クーポン券等（以下、これらを紙葉類と総称する）の真贋を識別する紙葉類識別装置、及び紙葉類識別方法に関する。
【背景技術】
【０００２】
一般的に、紙葉類の一態様である紙幣を取扱う紙幣識別装置は、利用者によって紙幣挿入口から挿入された紙幣の真贋を識別し、真正と識別された紙幣価値に応じて、各種の商品やサービスを提供するサービス機器、例えば遊技場に設置されている遊技媒体貸出機、或いは、公共の場に設置されている自動販売機や券売機等に組み込まれている。
【０００３】
通常、紙幣の真贋の識別は、紙幣挿入口に連続して設けられる紙幣搬送路に設置された紙幣識別装置によって行われるようになっており、紙幣搬送路を移動する紙幣に対して光を照射し、その透過光や反射光を受光センサで受光し、この受光データを正規のデータと比較することで真贋を識別する。
【０００４】
ところで、紙幣には、偽造を防止するために様々な工夫が施されており、その一つとして、特殊な手法により凹凸のある人物像による透かしを形成したり、或いは、触感で真偽判別可能な漉き入れマークを形成することが行われている（以下、紙幣に形成される透かしや漉き入れを「透かし」と総称する）。このような透かしは、紙幣の識別精度を向上する上で真贋識別対象領域として利用されることがあり、例えば、特許文献１には、透かしに赤外線や可視光を照射し、その透過光や反射光を取得することで、紙幣の真偽を識別する紙幣鑑別装置が開示されている。
【特許文献１】特開２００６−２８５７７５号公報
【発明の開示】
【発明が解決しようとする課題】
【０００５】
上記した紙幣の透かしは、偽造できないように、特殊な手法によって形成されていることから、真贋を判別する上では、きわめて有効なものと考えられる。仮に、このような透かしを偽造するのであれば、それは、偽造する紙のいずれか一方の面に、透かし画像と同様な薄い印刷画像を施すことが考えられる。
【０００６】
ところが、いずれか一方の面に薄い印刷を施して偽物の透かしを形成したものは、透過光の光量の変化によって透かしの真贋を識別することは困難である。特に、受光センサを搬送される紙幣の一方の面側のみに設置する構成では、透かしの印刷面が反転して搬送されると、精度良く真贋の識別が行えない可能性が生じる。
【０００７】
本発明は、上記した事情に着目してなされたものであり、紙葉類に形成された透かし領域の真贋の識別を精度良く行える紙葉類識別装置、及び紙葉類識別方法を提供することを目的とする。
【課題を解決するための手段】
【０００８】
上記した目的を達成するために、請求項１に係る紙葉類識別装置は、搬送される紙葉類に形成された透かし画像について、表面及び裏面の反射光をそれぞれ受光する第１受光手段及び第２受光手段と、前記第１受光手段及び第２受光手段で受光したそれぞれの反射光による透かし画像を、明るさを有する色情報を含み、所定の大きさを１単位とする画素毎に変換する変換部と、前記変換部で変換された第１受光手段及び第２受光手段それぞれの画素毎の濃度値と、基準となる紙葉類の透かし画像の透過光による画素毎の濃度値とに基づいて透かし画像の真贋を識別する識別処理部と、を有することを特徴とする。
【０００９】
一般的に、紙幣のような紙葉類に形成される透かしは、それが真正なものであれば、光を照射して反射光から二次元画像を取得すると、その透かし画像がそのまま現れることはない。しかし、いずれかの面側に薄い印刷を施して透かしを偽造したものは、光を照射して反射光から二次元画像を取得すると、その透かし画像がそのまま現れるようになる。このようにして得られる透かし画像は、真正の紙幣の透かし画像の透過光による画像に近似した関係になることから、本発明に係る紙葉類識別装置は、この関係を利用することで、搬送される紙葉類の両側に受光手段（第１受光手段、第２受光手段）を設置して、精度良く真贋を識別するようにしている。
【００１０】
すなわち、前記変換部において、搬送される紙葉類の両面側から、透かし画像の反射光によって得られる画素毎の濃度値は、それが真正な透かしであるなら、同じ位置で得られる透過光による画素毎の濃度値とは何等関連性はない。しかし、いずれかの面に薄い印刷を施して透かしを偽造すると、その面の反射光によって得られる画素毎の濃度値は、同じ位置で得られる透過光による画素毎の濃度値と関連性が高くなるため、両面における反射光で得られる画素毎の濃度値と透過光による画素毎の濃度値との間で、いずれかの面で関連性が高ければ、それは偽の透かしと識別することが可能となる。なお、基準となる紙葉類の透かし画像の透過光による画素毎の濃度値については、実際に搬送される紙葉類からの透過光で取得しても良いし、予め基準値として識別処理部に記憶されたものであっても良い。
【００１１】
また、請求項２に係る発明においては、前記第１受光手段及び第２受光手段の一方は、前記搬送される紙葉類の透かし画像の透過光を受光可能であり、前記識別処理部は、前記第１受光手段及び第２受光手段の一方で取得した透かし画像の透過光による画素毎の濃度値と、前記基準となる紙葉類の透かし画像の透過光による画素毎の濃度値とに基づいて透かし画像の真贋を識別することを特徴とする。
【００１２】
上記した構成の紙葉類識別装置によれば、搬送される紙葉類の透かし画像の透過光による画素毎の濃度値と、基準となる紙葉類の透かし画像の透過光による画素毎の濃度値とに基づいて真贋を識別するため、透かし図柄が形成されていないような紙葉類を排除することが可能となる。
【００１３】
また、請求項３に係る発明においては、前記識別処理部は、前記搬送される紙葉類の透かし画像から取得される反射光による画素毎の濃度値と、基準となる紙葉類の透かし画像の透過光による画素毎の濃度値とから相関係数を算出し、その相関係数に基づいて透かし画像の真贋を識別することを特徴とする。
【００１４】
上記した構成の紙葉類識別装置によれば、搬送される紙葉類の透かし画像の反射光による画素毎の濃度値と、基準となる紙葉類の透かし画像の透過光による画素毎の濃度値とから相関係数が算出される。この場合、算出される相関係数に関しては、いずれかの面において、予め定めた閾値よりも高い値となれば、その透かしは印刷によって形成されたものとして、偽造と識別することが可能となる。
【００１５】
また、請求項４に係る発明においては、前記識別処理部は、前記搬送される紙葉類の透かし画像から取得される透過光による画素毎の濃度値と、基準となる紙葉類の透かし画像の透過光による画素毎の濃度値とから相関係数を算出し、その相関係数に基づいて透かし画像の真贋を識別することを特徴とする。
【００１６】
上記した構成の紙葉類識別装置によれば、搬送される紙葉類の透かし画像の透過光による画素毎の濃度値と、基準となる紙葉類の透かし画像の透過光による画素毎の濃度値とから相関係数が算出される。この場合、算出される相関係数に関しては、予め定めた閾値よりも低い値となれば、透かし図柄が形成されていない偽物と識別することが可能となる。
【００１７】
また、請求項５に係る発明においては、前記識別処理部は、相関係数を算出する際に、基準となる紙葉類の透かし画像の画素位置に対応するように、取得した画像の画素位置を移動させて位置補正を実行し、相関係数の絶対値が最も高いところを抽出して真贋を識別することを特徴とする。
【００１８】
上記した構成の紙葉類識別装置によれば、透かしが形成される位置に多少のばらつきのある真正の紙葉類が搬送されても、取得した画像の画素位置を移動させるような位置補正を施すことで、偽物と識別する可能性が少なくなり、識別精度の向上を図ることが可能となる。なお、このような位置補正は、広範囲に実行すると、処理速度が遅くなる等の不都合が生じるため、例えば、ある点を中心として、その上下方向、左右方向に画素情報を±数画素程度、シフトして検索を行えば良い。このため、このような位置補正については、近傍探索と称する。
【００１９】
また、請求項６に係る発明においては、前記識別処理部は、前記第１受光手段及び第２受光手段で受光したそれぞれの透かし画像を合成して１つの画像として画素毎の濃度値を取得し、この取得した合成画像による画素毎の濃度値と、前記基準となる紙葉類の透かし画像の透過光による画素毎の濃度値とに基づいて透かし画像の真贋を識別することを特徴とする。
【００２０】
上記した構成の紙葉類識別装置によれば、紙葉類の両面側から得られる反射光による透かし画像を合成することから、例えば、透かし画像の一部の領域を一方の面、残りの部分を他方の面に印刷したような偽造の透かしを排除することができ、真贋の識別精度を向上することが可能となる。
【００２１】
また、上記した目的を達成するために、請求項７に係る紙葉類識別方法は、明るさを有する色情報を含み、所定の大きさを１単位とする画素毎に、搬送される紙葉類に形成された透かし画像の両面側から反射光を取得する画像取得工程と、前記透かし画像のそれぞれの面で取得された反射光による画素毎の濃度値と、基準となる紙葉類の透かし画像の透過光による画素毎の濃度値とに基づいて、透かし画像の真贋を識別する反射光による真贋識別工程と、を有することを特徴とする。
【００２２】
上述したように、紙幣のような紙葉類に形成される透かしは、それが真正なものであれば、光を照射して反射光から二次元画像を取得すると、その透かし画像がそのまま現れることはない。しかし、いずれかの面側に薄い印刷を施して透かしを偽造したものは、光を照射して反射光から二次元画像を取得すると、その透かし画像がそのまま現れるようになる。このようにして得られる透かし画像は、真正の紙幣の透かし画像の透過光による画像に近似した関係になることから、本発明に係る紙葉類識別方法は、この関係を利用することで、搬送される紙葉類の両面側から反射光を取得するようにしている。
【００２３】
すなわち、搬送される紙葉類の両面側から、透かし画像の反射光によって得られる画素毎の濃度値は、それが真正な透かしであるなら、同じ位置で得られる透過光による画素毎の濃度値とは何等関連性はない。しかし、いずれかの面に薄い印刷を施して透かしを偽造すると、その面の反射光によって得られる画素毎の濃度値は、同じ位置で得られる透過光による画素毎の濃度値と関連性が高くなるため、両面における反射光で得られる画素毎の濃度値と、透過光による画素毎の濃度値との間で、いずれかの面で関連性が高ければ、それは偽の透かしと識別することが可能となる。
【００２４】
また、請求項８に係る発明においては、前記画像取得工程は、明るさを有する色情報を含み、所定の大きさを１単位とする画素毎に、搬送される紙葉類に形成された透かし画像の透過光を取得し、前記画像取得工程で取得した透かし画像の透過光による画素毎の濃度値と、基準となる紙葉類の透かし画像の透過光による画素毎の濃度値とに基づいて、透かし画像の真贋を識別する透過光による真贋識別工程をさらに有することを特徴とする。
【００２５】
上記した構成の紙葉類識別方法によれば、搬送される紙葉類の透かし画像の透過光による画素毎の濃度値と、基準となる紙葉類の透かし画像の透過光による画素毎の濃度値とに基づいて真贋を識別するため、透かし図柄が形成されていないような紙葉類を排除することが可能となる。
【００２６】
また、請求項９に係る発明においては、前記反射光による真贋識別工程、及び透過光による真贋識別工程において、基準となる紙葉類の透かし画像の画素位置に対応するように、取得した透かし画像の画素位置を移動させて位置補正を実行して真贋を識別することを特徴とする。
【００２７】
上記した構成の紙葉類識別方法によれば、透かしが形成される位置に多少のばらつきのある真正の紙葉類であっても、近傍探索による位置補正を施すことで、偽物と識別する可能性が少なくなり、識別精度の向上を図ることが可能となる。
【００２８】
また、請求項１０に係る発明においては、前記反射光による真贋識別工程は、両面側から得られるそれぞれの透かし画像を合成して１つの画像として画素毎の濃度値を取得し、この取得した合成画像による画素毎の濃度値と、前記基準となる紙葉類の透かし画像の透過光による画素毎の濃度値とに基づいて透かし画像の真贋を識別することを特徴とする。
【００２９】
上記した構成の紙葉類識別方法によれば、紙葉類の両面側から得られる反射光による透かし画像を合成することから、例えば、透かし画像の一部の領域を一方の面、残りの部分を他方の面に印刷したような偽造の透かしを排除することができ、真贋の識別精度を向上することが可能となる。
【発明の効果】
【００３０】
本発明によれば、紙葉類に形成された透かし領域の真贋の識別を精度良く行える紙葉類識別装置、及び紙葉類識別方法が得られる。
【発明を実施するための最良の形態】
【００３１】
以下、図面を参照しながら、本発明の一実施形態について説明する。
【００３２】
図１から図３は、本発明に係る紙葉類識別装置を紙幣識別装置に適用した例を示す図であり、図１は、全体構成を示す斜視図、図２は、開閉部材を装置本体の本体フレームに対して開いた状態を示す斜視図、そして、図３は、挿入口から挿入される紙幣の搬送経路を概略的に示した右側面図である。
【００３３】
本実施形態の紙幣識別装置１は、例えば、スロットマシン等の各種の遊技機に組み込み可能に構成されており、装置本体２と、この装置本体２に設けられ、多数の紙幣などを積層、収容することが可能な収容部（収容スタッカ；金庫）１００とを備えている。この収容部１００は、装置本体２に対して着脱可能であっても良く、例えば、図示されていないロック機構が解除された状態で、前面に設けられた取っ手１０１を引くことで、装置本体２から取り外すことが可能となっている。
【００３４】
前記装置本体２は、図２に示すように、本体フレーム２Ａと、本体フレーム２Ａに対して一端部を回動中心として開閉されるように構成された開閉部材２Ｂとを有している。そして、これら本体フレーム２Ａ及び開閉部材２Ｂは、図３に示すように、開閉部材２Ｂを本体フレーム２Ａに対して閉じた際、両者の対向部分に紙幣が搬送される隙間（紙幣搬送路３）が形成されると共に、両者の前面露出側に、前記紙幣搬送路３に一致するようにして、紙幣挿入口５が形成されるよう構成されている。なお、前記紙幣挿入口５は、紙幣の短い辺側から装置本体２の内部に挿入できるようにスリット状の開口となっている。
【００３５】
また、前記装置本体２内には、前記紙幣搬送路３に沿って、紙幣を搬送する紙幣搬送機構６と、紙幣挿入口５に挿入された紙幣を検知する挿入検知センサ７と、挿入検知センサ７の下流側に設置され、搬送状態にある紙幣の情報を読取る紙幣読取手段８と、この紙幣読取手段８に対して、紙幣を正確に位置決めして搬送するスキュー補正機構１０とが設けられている。
【００３６】
以下、上記した各構成部材について、詳細に説明する。  
前記紙幣搬送路３は、紙幣挿入口５から奥側に向けて延出しており、その下流側には、紙幣収容部１００に紙幣を排出する排出口３ａが形成されている。
【００３７】
前記紙幣搬送機構６は、紙幣挿入口５から挿入された紙幣を挿入方向に沿って搬送可能にすると共に、挿入状態にある紙幣を紙幣挿入口５に向けて差し戻し搬送可能とする機構である。この紙幣搬送機構６は、装置本体２内に設置された駆動源であるモータ１３（図５参照）と、このモータ１３によって回転駆動され、紙幣搬送路３に紙幣搬送方向に沿って所定間隔おいて配設される搬送ローラ対（１４Ａ，１４Ｂ）、（１５Ａ，１５Ｂ）、（１６Ａ，１６Ｂ）、及び（１７Ａ，１７Ｂ）を備えている。
【００３８】
前記搬送ローラ対は、紙幣搬送路３に一部が露出するように設置されて、いずれも紙幣搬送路３の下側に設置される搬送ローラ１４Ｂ，１５Ｂ，１６Ｂ及び１７Ｂがモータ１３によって駆動されるローラとなっており、上側に設置される搬送ローラ１４Ａ，１５Ａ，１６Ａ及び１７Ａが、これらのローラに対して従動するピンチローラとなっている。なお、紙幣挿入口５から挿入された紙幣を最初に挟持して奥側に搬送する搬送ローラ対（１４Ａ，１４Ｂ）は、図２に示すように、紙幣搬送路３の中心位置に１箇所設置されており、その下流側に順次配置される搬送ローラ対（１５Ａ，１５Ｂ）、（１６Ａ，１６Ｂ）、及び（１７Ａ，１７Ｂ）については、紙幣搬送路３の幅方向に沿って、所定間隔をおいて２箇所設置されている。
【００３９】
また、上記した紙幣挿入口５の近傍に配置される搬送ローラ対（１４Ａ，１４Ｂ）については、通常は、上側の搬送ローラ１４Ａが下側の搬送ローラ１４Ｂから離間した状態となっており、紙幣の挿入が挿入検知センサ７によって検知されると、上側の搬送ローラ１４Ａが下側の搬送ローラ１４Ｂに向けて駆動され、挿入された紙幣を挟持するようになっている。
【００４０】
また、前記スキュー補正機構１０は、スキューの補正を果たす左右一対の可動片１０Ａ（片側のみ図示）を備えており、スキュー補正機構用のモータ４０を駆動することで、左右一対の可動片１０Ａを接近するように移動させ、これにより、紙幣に対するスキューの補正処理が成される。
【００４１】
前記挿入検知センサ７は、紙幣挿入口５に挿入された紙幣を検知した際に検知信号を発生するものであり、この検知信号が発せられると、前記モータ１３が正転駆動され、紙幣を挿入方向に向けて搬送する。本実施形態の挿入検知センサ７は、搬送ローラ対（１４Ａ，１４Ｂ）と、スキュー補正機構１０との間に設置されており、光学式のセンサ、例えば、回帰反射型フォトセンサによって構成されているが、それ以外にも、機械式のセンサによって構成されていても良い。
【００４２】
前記紙幣読取手段８は、スキュー補正機構１０によってスキューが補正された状態で搬送される紙幣について、その紙幣情報を読取り、その有効性（真贋）を識別する。本実施形態では、紙幣読取手段８は、搬送される紙幣の両面側から光を照射し、その透過光と反射光を受光素子で検知することで読取を行うラインセンサを備えた構成になっている。
【００４３】
前記紙幣読取手段８による真贋識別処理は、その識別精度を高めるように、搬送される紙幣の印刷部分に光を照射し、その透過光及び反射光を受光して、印刷部分における特徴点（識別の対象とされる特徴点の領域、及び、その抽出の仕方については任意である）が真正のものと一致するか否かを識別する構成となっている。
【００４４】
そして、本発明では、このような真贋識別処理を実行するに際し、紙幣に形成された透かし部分についても、真贋判定における識別対象領域としており、後述するように、紙幣読取手段８で読取った透かし部分における紙幣情報を、二次元画像にして真贋判定を行うようにしている。すなわち、透かし部分については、紙幣の偽造を防止する一つの手段として、特徴付けされている部分であることから、このような透かし領域について二次元画像を取得し、これを真券の紙幣の透かし部分のデータと比較することで、その識別精度をより向上することが可能となる。
【００４５】
また、真正の紙幣には、照射する光の波長（例えば、可視光や赤外光）によって、取得される画像データが異なる領域があることから、本実施形態では、この点に着目し、複数の光源によって異なる波長（本実施形態では、赤色光及び赤外光を照射する）の光を紙幣に照射し、その透過光と反射光を検出することで、真贋の識別精度をより高めるようにしている。すなわち、赤色光と赤外光では、波長が異なることから、波長の異なる複数の光による透過光データや反射光データを紙幣の真贋判定に用いると、真券と偽札との特定領域を通過する透過光や特定領域から反射する反射光では、透過率、反射率がそれぞれ異なるという性質がある。このため、複数の波長の光源を用いることで、紙幣の真贋の識別精度をより高めるようにしている。
【００４６】
なお、具体的な紙幣の真贋識別方法については、紙幣に照射する光の波長や照射領域により、様々な受光データ（透過光データ、反射光データ）を取得できるため、詳細に説明しないが、例えば、紙幣の透かし領域では、異なる波長の光でその領域の画像を見た場合、画像が大きく異なって見えることから、この部分を特定領域とし、当該特定領域における透過光データや反射光データを取得して、予め記憶手段（ＲＯＭ）に記憶してある真券の同じ特定領域における正規データと比較して、識別対象となる紙幣が真券であるか偽札であるかを識別することが考えられる。このとき、金種に応じて特定領域を定めておき、この特定領域における透過光データや反射光データに所定の重み付けを設定しておき、真贋識別精度のさらなる向上を図ることも可能である。
【００４７】
そして、上記した紙幣読取手段８は、後述するように、発光部を所定の間隔で点灯制御し、紙幣が通過する際の透過光及び反射光をラインセンサによって検知するものであることから、そのラインセンサによって、所定の大きさを１単位とした複数の画素情報に基づいた画像データを取得することが可能となる。
【００４８】
この場合、ラインセンサによって取得される画像データは、後述する変換部によって、画素毎に、明るさを有する色情報を含んだデータに変換される。なお、変換部において変換される明るさを有する画素毎の色情報とは、濃淡値すなわち濃度値（輝度値）に対応するものであって、例えば、１バイト情報として、その濃度値に応じて、０から２５５の数値（０：黒〜２５５：白）が各画素に割り当てられたものである。
【００４９】
このため、上述した真贋識別処理では、紙幣に形成される透かし部分に限定されることはなく、紙幣の様々な領域を抽出し、その領域に含まれる画素情報（濃度値）と、真券の同じ領域の画素情報とを用い、これらを適宜の相関式に代入して演算した相関係数により、真贋を識別することが可能である。或いは、上記した以外にも、透過光データや反射光データから、例えばアナログ波形を生成し、この波形の形状同士の比較で、真贋を識別することも可能である。
【００５０】
ここで、上記した紙幣読取手段８の構成について、図２及び図３を参照して詳細に説明する。
【００５１】
上記した紙幣読取手段８は、紙幣搬送路３の両側に配設される受発光ユニット８１，８２を備えており、それぞれの受発光ユニット８１，８２は、同様な構成となっている。前記受発光ユニット８１は、紙幣搬送方向に沿って配置され、搬送される紙幣に対して赤外光及び赤色光を照射可能とした発光部８１ａ，８１ｂと、これらの発光部８１ａ，８１ｂの間に配設される受光部８１ｃとを備えている。また、前記受発光ユニット８２は、紙幣搬送方向に沿って配置され、搬送される紙幣に対して赤外光及び赤色光を照射可能とした発光部８２ａ，８２ｂと、これらの発光部８２ａ，８２ｂの間に配設される受光部８２ｃとを備えている。
【００５２】
上記した受発光ユニット８１，８２は、紙幣搬送方向に沿って多少オフセットした状態に配設されており、それぞれの発光部８１ａ，８２ｂは、反射用、及び透過用の光源として機能する。すなわち、発光部８１ａの照射光は、搬送される紙幣から反射して受光部８１ｃで検知可能であると共に、搬送される紙幣を透過して受光部８２ｃで検知可能であり、発光部８２ｂの照射光は、搬送される紙幣から反射して受光部８２ｃで検知可能であると共に、搬送される紙幣を透過して受光部８１ｃで検知可能となっている。また、それぞれの発光部８１ｂ，８２ａは、反射用の光源として機能する。すなわち、発光部８１ｂ，８２ａのそれぞれの照射光は、搬送される紙幣から反射して、各受光部８１ｃ，８２ｃで検知可能となっている。
【００５３】
前記各発光部（８１ａ，８１ｂ）、（８２ａ，８２ｂ）は、図２に示すように、一端に取り付けたＬＥＤ素子８１Ａ，８２Ａからの光を、内部に設けた導光体を通して発光する合成樹脂製の矩形棒状体によって構成されている。このような構成の発光部は、受光部８１ｃ，８２ｃ（受光センサ）と平行にライン状に配設されており、簡単な構成で、搬送される紙幣の搬送路幅方向全体の範囲に対して全体的に均一に照射することが可能となる。
【００５４】
また、前記受発光ユニット８１，８２の受光部８１ｃ，８２ｃは、紙幣搬送路３に対して交差方向に伸延し、かつ受光部に設けた図示しない受光センサの感度に影響を与えない程度の幅を有する帯状に形成された薄肉の板状に形成されている。なお、前記受光センサは、受光部８１ｃ，８２ｃの厚み方向の中央に、複数のＣＣＤ（Charge Coupled Device）をライン状に設けるとともに、このＣＣＤの上方位置に、透過光及び反射光を集光させるように、ライン状にグリンレンズアレイ８１ｄ，８２ｄを配置した所謂ラインセンサとして構成されている。
【００５５】
このため、受光部８１ｃでは、真贋識別対象となる紙幣に向けて照射された発光部８１ａ，８１ｂからの赤外光や赤色光の反射光、あるいは発光部８２ｂからの透過光を受光し、受光データとして、その輝度に応じた濃淡データ（明るさの情報を含んだ画素データ）や、この濃淡データから二次元画像を生成することが可能となっている。同様に、受光部８２ｃにおいても、真贋識別対象となる紙幣に向けて照射された発光部８２ａ，８２ｂからの赤外光や赤色光の反射光、あるいは発光部８１ａからの透過光を受光し、受光データとして、その輝度に応じた濃淡データ（明るさの情報を含んだ画素データ）や、この濃淡データから二次元画像を生成することが可能となっている。
【００５６】
前記受発光ユニット８１，８２の各発光部（８１ａ，８１ｂ）、（８２ａ，８２ｂ）は、所定の角度、例えば４５度の仰角で光を紙幣に向けて照射可能としており、紙幣からの反射光を受光部８１ｃ，８２ｃで受光するように配設されている。この場合、搬送される紙幣に対する入射角は４５度に限定されるものではなく、紙幣の表面に対して濃淡なく均一に光が照射できれば、各発光部の設置状態については適宜設定することができる。また、各受発光ユニット８１，８２の発光部は、受光部８１ｃ，８２ｃを挟んで両サイドに設置して、両側からそれぞれ所定の角度で光を照射するようにしている。これは、紙幣表面に傷や折皺などがある場合、これら傷や折皺部分に生じた凹凸に光が片側からのみ照射された場合、どうしても凹凸の部分においては光が遮られて陰になってしまう箇所が生じることがある。このため、両側から光を照射することにより、凹凸の部分において陰ができることを防止して、片側からの照射よりも精度の高い画像データを得ることを可能としている。もちろん、各受発光ユニットの発光部については、片方のみに設置した構成であっても良い。
【００５７】
なお、上記した受発光ユニット８１，８２は、搬送される紙幣の両面側から反射光を受光でき、かつ透過光を受光できれば、その構成や配置などは、本実施形態に限定されるものではなく、適宜変形することが可能である。
【００５８】
また、上記した受発光ユニット８１，８２における各発光部（８１ａ，８１ｂ）、（８２ａ，８２ｂ）では、紙幣の読取り時、図４のタイミングチャートに示すように赤外光と赤色光が、所定の間隔で点灯制御されるようになっている。すなわち、赤色光と赤外光を照射する４つの発光部（８１ａ，８１ｂ）、（８２ａ，８２ｂ）が、一定の間隔（所定の点灯間隔）で点灯、消灯を繰り返し、各光源の位相を重ねることなく、２つ以上の光源が同時に点灯することがないように点灯制御される。換言すれば、ある光源が点灯しているときには、他の３つの光源は消灯するように点灯制御される。
【００５９】
これにより、各受光部８１ｃ，８２ｃでは、各光源の光を一定間隔で検出することができ、波長毎に、反射光及び透過光による紙幣の濃淡データからなる画像を読取ることが可能となる。この場合、点灯間隔が短くなるように制御することで、解像度を高めることも可能である。
【００６０】
そして、上記したように構成される紙幣読取手段８において真性と識別された紙幣は、紙幣搬送機構６によって紙幣搬送路３の排出口３ａを介して上述した紙幣収容部１００に搬送され、紙幣収容部内に順次、積層、収容される。また、偽物と識別された紙幣は、紙幣搬送機構６が逆転駆動されることで紙幣挿入口５側に戻され、紙幣挿入口５から排出される。
【００６１】
次に、上述した紙幣識別装置１の動作を制御する制御手段２００について、図５のブロック図を参照して説明する。
【００６２】
図５のブロック図に示す制御手段２００は、上記した各駆動装置の動作を制御する制御基板２１０を備えており、この制御基板２１０上には、各駆動装置の駆動を制御すると共に、紙幣識別手段を構成するＣＰＵ（Central Processing Unit）２２０と、ＲＯＭ(Read Only Memory)２２２と、ＲＡＭ（Random
Access Memory）２２４と、真贋判定部２３０とが実装されている。
【００６３】
前記ＲＯＭ２２２には、紙幣搬送機構用のモータ１３、スキュー補正機構用のモータ４０等の各種駆動装置の作動プログラムや、真贋判定部２３０における真贋判定プログラム等の各種プログラム等、恒久的なデータが記憶されている。
【００６４】
前記ＣＰＵ２２０は、ＲＯＭ２２２に記憶されている前記プログラムに従って作動して、Ｉ／Ｏポート２４０を介して上述した各種駆動装置との信号の入出力を行い、紙幣識別装置の全体的な動作制御を行う。すなわち、ＣＰＵ２２０には、Ｉ／Ｏポート２４０を介して、紙幣搬送機構用のモータ１３、スキュー補正機構用のモータ４０等の駆動装置が接続されており、これらの駆動装置は、ＲＯＭ２２２に格納された作動プログラムに従って、ＣＰＵ２２０からの制御信号により動作が制御される。また、ＣＰＵ２２０には、Ｉ／Ｏポート２４０を介して、挿入検知センサ７からの検知信号が入力されるようになっており、この検知信号に基づいて、上記した駆動装置の駆動制御が行われる。
【００６５】
さらに、ＣＰＵ２２０には、Ｉ／Ｏポート２４０を介して、上述した紙幣読取手段８における受光部８１ｃ，８２ｃから、紙幣に照射された光の透過光や反射光に基づく検知信号が入力されるようになっている。
【００６６】
前記ＲＡＭ２２４には、ＣＰＵ２２０が作動する際に用いるデータやプログラムが一時的に記憶されると共に、紙幣の受光データ（複数の画素によって構成される画像データ）を取得して一時的に記憶する機能を備えている。
【００６７】
前記真贋判定部２３０は、搬送される紙幣について真贋識別処理を実施し、その紙幣についての真贋を識別する機能を有する。この真贋判定部２３０は、前記ＲＡＭ２２４に格納された紙幣の受光データに関し、画素毎に、明るさを有する色情報（濃度値）を含んだ画素情報に変換する変換部２３２と、真正な紙幣に関する基準データを格納した基準データ記憶部２３３と、真贋対象となる紙幣について、前記変換部２３２で変換された画像データ（比較データ）と、基準データ記憶部２３３に格納されている基準データとを比較し、真贋の識別処理を行う識別処理部２３５と、を備えている。
【００６８】
この場合、前記基準データ記憶部２３３には、真贋識別処理を実施するに際して用いられる真正の紙幣に関し、透かし部分の標準画像である標準データ（基準データ）が記憶されている。具体的に、この標準データは、真正な紙幣の透かし画像領域に光を照射し、その透過光を受光した際に得られる多数の画素による画像データが該当しており、所定のパラメータ（xStart,yStart,xsize,ysize）に関連付けされて記憶されている。
【００６９】
上記した透過光による標準データについては、専用の基準データ記憶部２３３に記憶させているが、これを上記したＲＯＭ２２２に記憶させておいても良い。また、標準データについては、予め基準データ記憶部２３３やＲＯＭ２２２に記憶させておいても良いが、例えば、所定枚数の真券を、紙幣搬送機構６を通して搬送させながら透過光データを取得し、得られた多数の真券の透過光データから平均的な値を算出し、これを標準データとして記憶する構成であっても良い。
【００７０】
さらに、ＣＰＵ２２０には、Ｉ／Ｏポート２４０を介して、上述した紙幣読取手段８における受発光ユニット８１の発光部８１ａ，８１ｂと、受発光ユニット８２の発光部８２ａ，８２ｂが接続されている。これら発光部（８１ａ，８１ｂ）、（８２ａ，８２ｂ）は、上記したＲＯＭ２２２に格納された動作プログラムに従い、ＣＰＵ２２０からの制御信号によって、発光制御回路２６０を介して、点灯間隔、及び消灯が制御される。
【００７１】
上記したように構成される紙幣読取手段（ラインセンサ）によれば、多数の画素情報から二次元的な画像情報を取得することができる。そして、例えば、上記した変換部２３２によって変換された各画素の明るさ情報を基にして、真贋の識別をするに際しての対象領域を前記パラメータに基づいて抽出し、この抽出した画像情報を、標準データと比較することで真贋の識別を行う。この場合、真贋識別対象とされる領域については、紙幣の印刷領域の内、偽造が困難な部分にすることが好ましく、本発明では、紙幣の透かし部分の領域（漉き入れ部分）の二次元画像を抽出して、これを標準データと比較することで真贋識別処理を行うようにしている。
【００７２】
ところで、上述したように、紙幣に形成される透かしは、それが真正なものであれば、光を照射して、その反射光から二次元画像を取得すると、その透かし画像がそのまま現れることはない（表面、裏面のいずれの面側においても、透かし画像がそのまま現れることはない）。しかし、いずれかの面側に薄い印刷を施して透かしを偽造したものは、光を照射して反射光から二次元画像を取得すると、その透かし画像がそのまま現れるようになる。そして、このようにして得られる透かし画像は、真正の紙幣の透かし画像の透過光による画像（上述した標準データ）に近似した関係となっている。このため、両者のこの関係を利用することで、精度良く真贋を識別することが可能となる。
【００７３】
すなわち、前記変換部２３２において、搬送される紙幣の両面側から、透かし画像の反射光によって得られる画素毎の濃度値は、それが真正な透かしであるなら、同じ位置で得られる透過光による画素毎の濃度値（予め標準データとして格納されている）と対比しても何等関連性はない。しかし、いずれかの面に薄い印刷を施して透かしを偽造すると、その面の反射光によって得られる画素毎の濃度値は、同じ位置で得られる透過光による画素毎の濃度値と関連性が高くなるため、両面における反射光で得られる画素毎の濃度値と透過光による画素毎の濃度値との間で、いずれかの面で関連性が高ければ、それは偽の透かしと識別することが可能となる。
【００７４】
本実施形態では、前記変換部２３２において透かし画像の反射光によって得られる画素毎の濃度値と、同じ位置で得られる透過光による画素毎の濃度値（この濃度値は、基準データ記憶部２３３に予め標準データとして記憶されている）とから、相関係数Ｒを導き出し、相関係数Ｒが所定の値（閾値として予め設定しておく）以上となったときに、相関が高い（関連性が高い）として、偽物と判別するようにしている。
【００７５】
以下、上記した透かし画像に基づく真贋識別処理の手法例について、図６のフローチャート、及び図７〜図１２を参照して具体的に説明する。なお、このような透かし画像に基づく真贋識別処理については、それ以外にいくつか存在する紙幣真贋識別処理の中の一つの処理として実行される。
【００７６】
まず、最初に、紙幣読取手段８において、搬送される紙幣の読取りを行い、その読取った画像から、変換部２３２によって、色情報を含む画素情報への変換処理を行う（ＳＴ０１）。上記したように、紙幣読取手段８は、紙幣搬送機構６によって搬送された紙幣に対し、両面側に設置されている発光部８１ａ，８１ｂ及び発光部８２ａ，８２ｂから光（赤色光、赤外光）を照射し、その透過光や反射光を受光部（ラインセンサ）８１ｃ，８２ｃで受光して紙幣の読取りを実行する。この読取りに際しては、紙幣の搬送処理が行われている間、照射光毎に、所定の大きさを１単位とする多数の画素情報を取得することが可能であり、このようにして取得された多数の画素によって構成される画像データは、ＲＡＭ２２４などの記憶手段に記憶される。そして、ここで記憶される多数の画素によって構成される画像データは、変換部２３２によって、画素毎に、明るさを有する色情報（濃度値に応じて０から２５５の数値（０：黒〜２５５：白）が割り当てられた色情報）を含んだ情報に変換される。
【００７７】
次いで、このように変換された画素情報から透かし画像領域の抽出処理を行う（ＳＴ０２）。これは、例えば、紙幣を搬送する際、印刷領域から透かし画像領域に移行した段階で、画素情報の濃度値が高くなる（白くなる）ことから、その変位する位置を閾値を設定して検出することで、透かし画像領域を抽出することが可能となる。もちろん、透かし画像領域については、得られた画像情報や変換された画像情報に基づいて様々な手法により抽出することが可能である。また、透かし画像を抽出するのに用いられる照射光については、複数の光源の内、透過光の赤色光、赤外光、及び反射光の赤色光、赤外光の内、いずれか（組み合わせでも良い）が用いられる。
【００７８】
次いで、識別処理部２３５において、予め基準データ記憶部２３３に記憶されている標準データ（比較対照とされる透かし画像の透過光による標準データ）を、上記したパラメータを用いて抽出し、これを、変換部で変換された透過光による画像データとの間で比較処理する（ＳＴ０３）。
【００７９】
この場合、抽出される標準データは、例えば、図７に示すように、紙幣Ｍに関する標準画像が基準データ記憶部２３３に記憶されていれば、上記したパラメータを用いて、透かし領域１０１や、漉き入れマーク形成領域１０５の二次元画像となる（本実施形態では、漉き入れマーク形成領域１０５を抽出して真贋判定処理を行う）。
【００８０】
上記したＳＴ０３における比較処理（第１の比較処理とする）は、透かしの有無を判定するための処理であり、搬送される紙幣から取得した透過光による透かし領域の画像情報と、標準画像の透かし領域の透過光による画像情報との間で、以下の式１で示す相関係数Ｒを導くことで、搬送される紙幣の真贋を識別するようにしている。
【００８１】
【数１】
0005184157.tif 000002
【００８２】
上記した数式において、［ｉ，ｊ］は、紙幣の透かし形成領域の座標に対応するものであり、この紙幣座標［ｉ，ｊ］における識別対象となる紙幣からの取得データの二次元画像の濃度値をｆ［ｉ，ｊ］、標準データにおける濃度値をｓ［ｉ，ｊ］、取得データにおける平均濃度をＦ、基準データの平均濃度値をＳとしている。
【００８３】
上記した式１によって導き出される相関係数Ｒは、搬送される紙幣から得られる透過光データと、透過光による基準データとの対比であるため、その相関係数Ｒが所定の閾値よりも低ければ、それは、透かしそのものが形成されていないと判断して、偽札として判定する（ＳＴ０４；Ｎｏ、ＳＴ１１）。すなわち、この処理（第１の比較処理）によって、透かしそのものが形成されていない紙幣を排除する。なお、搬送される紙幣から得られる透過光データについては、受光部８１ｃ，８２ｃのいずれか一方で検知されたものであっても良いし、両方で検知されたものを用いても良い。
【００８４】
一方、上記ＳＴ０４において、相関係数Ｒが所定の閾値以上であれば、引き続き、第２の比較処理を実行する（ＳＴ０５）。この比較処理は搬送される紙幣の両面側、すなわち、受光部８１ｃ，８２ｃのそれぞれにおいて、反射光で得られる画像データと、前記標準データとの間で、上記した式１で示す相関係数Ｒ１を導くことで、搬送される紙幣の真贋を識別する。
【００８５】
この真贋の識別処理について、図８から図１０を参照して説明する。  
図８は、紙幣の漉き入れマーク形成領域１０５における透過光による標準画像データ（予め基準データ記憶部２３３に記憶されている）であり、画素毎に明るさ情報を含んだデータを示している。なお、図８では、説明を簡単にするために、漉き入れマーク形成領域１０５における一方向（縦方向）で１２画素分が抽出され、搬送方向（横方向）で７画素分が抽出されたものとしてある。
【００８６】
また、図９は、真券の紙幣において、搬送される紙幣の漉き入れマーク形成領域１０５における反射光による画素毎のデータであり、（ａ）は表面から得られる反射光による画像データ、（ｂ）は裏面から得られる反射光による画像データを示している。この画素データから明らかなように、紙幣が真券であれば、両面側から得られる反射光による画像データは、図８に示す標準画像データとの間で関連性（類似性）は認められることはない。
【００８７】
一方、図１０は、裏面に漉き入れマークを印刷した紙幣（偽札）において、搬送される紙幣の漉き入れマーク形成領域１０５における反射光による画素毎のデータであり、（ａ）は表面から得られる反射光による画像データ、（ｂ）は裏面から得られる反射光による画像データを示している。
【００８８】
一方の面（裏面）に、印刷を施して漉き入れマークを形成すると、そこから得られる反射光による画像データは、透過光による画像データに近似するようになる。従って、紙幣の両面側において、それぞれ反射光による画像データの画素毎の濃度値と、透過光による標準データの画素毎の濃度値から相関係数Ｒ１を算出して、その相関係数Ｒ１が所定の閾値以上にあれば、それは、その面において透かしが印刷されたものと判断して、偽札として判定する（ＳＴ０６；Ｙｅｓ、ＳＴ１１）。すなわち、この処理（第２の比較処理）によって、いずれかの面において、透かしが印刷された紙幣を排除する。
【００８９】
さらに、本実施形態では、受光部８１ｃ，８２ｃで受光したそれぞれの反射光による画像データを合成して１つの画像として画素毎の濃度値を取得し、この取得した合成画像による画素毎の濃度値と、前記標準データによる画素毎の濃度値とに基づいて、透かし画像の真贋を識別する（第３の識別処理を行う）ようにしている。
【００９０】
これは、上述したように、透かしが形成されていない紙幣は、第１の比較処理で排除でき、いずれかの面に透かし画像を印刷したものは、第２の比較処理で排除できるが、表面と裏面に、それぞれ透かしと同じ図柄が半分づつ印刷されているようなケースでは、表面及び裏面の前記相関係数は、所定の閾値を越えないことも考えられる。例えば、図１１の（ａ）で示すように、表面のＡ領域に透かし図柄の一部を印刷しておき、かつ裏面のＢ領域に、残りの透かし図柄を印刷しておくと、上記した第１の比較処理、及び第２の比較処理では、排除できない可能性も生じる。
【００９１】
そこで、上記したＳＴ０６の処理に続いて、受光部８１ｃ，８２ｃで受光したそれぞれの反射光による画像データを合成処理して１つの画像を取得し（ＳＴ０７）、この合成画像の画素毎の濃度値と、前記基準となる紙葉類の透かし画像の透過光による画素毎の濃度値から相関係数Ｒ２を算出し（ＳＴ０８）、その相関係数Ｒ２が所定の閾値以上にあれば、それは、両面側に透かしを分けて印刷されたと判断して、偽札として判定するようにしている（ＳＴ０９；Ｙｅｓ、ＳＴ１１）。
【００９２】
すなわち、このような処理（第３の比較処理）を実施することによって、両面側に、分割して透かしを印刷した紙幣を排除することが可能となり、識別精度をより高めることが可能となる。
【００９３】
以上のように、搬送される紙幣の両面側に受発光ユニット８１，８２を設置しておき、各受光部で反射光による画像データを取得することで、紙幣に形成される透かしの真贋を精度良く識別することが可能となる。
【００９４】
なお、上述したＳＴ０３，ＳＴ０５，ＳＴ０８における相関係数の算出は、識別処理部２３５で実行されるが、この相関係数を算出するにあたって、基準となる紙幣の標準画像の画素位置に対応するように、取得した透かし画像の画素位置を移動させて位置補正（近傍検索と称する）を実行し、両者の間で相関係数の絶対値が最も高いところを抽出して真贋を識別することが好ましい。
【００９５】
すなわち、搬送される紙幣については、透かしが形成される位置に多少のばらつきがあったり、或いは、搬送状態によって、多少、斜向するようなケースが考えられる。このため、搬送される紙幣から、紙幣読取手段８によって読取られる透かし画像については、多少、ずれていることが考えられ、このままの状態で相関係数を取得しても、適切な識別ができない可能性もある。
【００９６】
このため、図１２に模式的に示すように、得られた透かし領域の画像データを、例えば、矢印で示すように、上下、及び左右に所定の画素数変位させて（図においては、画像データを全体として上方に３画素シフトさせた際に、特徴のある画像１１０の位置Ｐ１が、画像１１０´としてＰ２に移動した状態を示している）、夫々変位させた位置において、上記した式１によって相関係数を算出するようにしている。すなわち、このような位置補正を実行するに際し、例えば、上下、左右方向に±４画素シフトして検索を実行するのであれば、近傍探索として、全体で８１通りの相関係数が導き出される。そして、導き出された夫々の相関係数については、ＲＡＭ２２４に順次記憶して行き、最終的に全ての相関係数を算出した後、その相関係数の絶対値が最も高くなった位置を、真贋の識別対象として特定が成される。
【００９７】
これにより、透かしが形成される位置に多少のばらつきのある真正の紙幣が搬送されても、取得した画像の画素位置が、その周囲に移動させるような位置補正が成されるため、真札の紙幣であっても偽物と識別する可能性が少なくなり、識別精度の向上を図ることが可能となる。なお、上記したＳＴ０３の比較処理において、上述した近傍探索が実行されるのであれば、位置補正された情報を、上記ＳＴ０５，ＳＴ０８の処理でそのまま適用しても良い。
【００９８】
以上、本実施形態では、紙幣における偽造防止用の透かし画像の情報（二次元の画像情報）を取得して、これを基準となる透かし画像情報（標準データ）と比較することで、真贋識別の精度を向上することができる。
【００９９】
なお、上記したような透かし部分の識別処理工程は、紙幣識別装置が、多種類の紙幣を処理できるように構成されているのであれば、紙幣金種（どの国のどの発行シリーズのどの額面か）の識別処理が終わった後に実施するよう構成される。このため、透かしが形成されている位置は金種毎に決まっているので、これに応じて、標準データを記憶しておけば良い。
【０１００】
また、上記した構成では、透かし領域の透過光による標準データは、予め、基準データ記憶部２３３に記憶されているものを用いたが、このような透過光によるデータは、搬送される紙幣から取得しても良い。すなわち、搬送される紙幣の透かし領域から、反射光と透過光による画像データを取得し、上記した処理を行っても、透かし領域の真贋を識別することは可能である。
【０１０１】
以上、本発明の実施形態について説明したが、本発明は、上記した実施形態に限定されることなく、種々変形して実施することが可能である。
【０１０２】
上述したように、本発明は、識別対象となる紙幣の透かし部分の画像情報について、その反射光データを取得して、透過光による標準データと比較して真贋を識別することに特徴があり、それ以外の構成については、上記した実施の形態に限定されることはない。このため、上述した第１の比較処理や第３の比較処理については、行わない構成であっても良い。また、上記したような真贋の識別方法は、様々な手法による真贋識別処理の一つの処理として、上述したような手法が用いられていれば良く、さらにそれ以外の真贋識別処理を備えた構成であっても良い。この場合、その他の真贋識別処理との間での実行される優先順位については、限定されることはない。
【０１０３】
さらに、上記した構成では、識別処理部２３５において、搬送される紙幣の反射光による画素毎の濃度値、及び、基準データ記憶部２３３に記憶されている標準データの画素毎の濃度値から相関係数を算出し、その相関係数に基づいて、真札か偽札かを判定するようにしているが、識別方法については、様々な手法を用いることが可能である。例えば、反射光による画像データと、基準となる画像データとの間で、比較される各画素のバラツキ量を算出し、その平均値に基づいて真贋を識別する等、具体的な真贋の識別手法については、適宜変形することが可能である。
【産業上の利用可能性】
【０１０４】
本発明は、上記した紙幣以外にも、商品券、クーポン券等、紙幣以外の紙葉類の真贋を識別する各種の装置に組み込むことが可能である。
【図面の簡単な説明】
【０１０５】
【図１】紙葉類識別装置である紙幣識別装置の一例を示す図であり、全体構成を示す斜視図。
【図２】開閉部材を装置本体の本体フレームに対して開いた状態を示す斜視図。
【図３】挿入口から挿入される紙幣の搬送経路を概略的に示した右側面図。
【図４】紙幣読取手段における発光部の点灯制御を示しており、紙幣を読取る際の発光部の点灯制御を示すタイミングチャート。
【図５】紙幣識別装置の動作を制御する制御手段の構成を示すブロック図。
【図６】紙幣の真贋判定処理動作を説明するフローチャート
【図７】透かしが形成された紙幣の標準画像データの概略を示す図。
【図８】紙幣の漉き入れマーク形成領域における透過光による標準画像データを示す図。
【図９】真券の紙幣において、搬送される紙幣の漉き入れマーク形成領域における反射光による画素毎のデータを示しており、（ａ）は表面から得られる反射光による画像データ、（ｂ）は裏面から得られる反射光による画像データを示す図。
【図１０】偽の紙幣において、搬送される紙幣の漉き入れマーク形成領域における反射光による画素毎のデータを示しており、（ａ）は表面から得られる反射光による画像データ、（ｂ）は裏面から得られる反射光による画像データを示す図。
【図１１】両面に印刷を施した偽の紙幣において、搬送される紙幣の漉き入れマーク形成領域における反射光による画素毎のデータを示しており、（ａ）は表面から得られる反射光による画像データ、（ｂ）は裏面から得られる反射光による画像データを示す図。
【図１２】近傍探索の概略について説明する図であり、色情報を含む画素の配列を示す図。
【符号の説明】
【０１０６】
１  紙幣識別装置
２  装置本体
３  紙幣搬送路
５  紙幣挿入口
６  紙幣搬送機構
８  紙幣読取手段
１０  スキュー補正機構
８１，８２  受発光ユニット
８１ａ，８１ｂ，８２ａ，８２ｂ  発光部
８１ｃ，８２ｃ  受光部
２００  制御手段
【図１】
0005184157.tif 000003
【図２】
0005184157.tif 000004
【図３】
0005184157.tif 000005
【図４】
0005184157.tif 000006
【図５】
0005184157.tif 000007
【図６】
0005184157.tif 000008
【図７】
0005184157.tif 000009
【図８】
0005184157.tif 000010
【図９】
0005184157.tif 000011
【図１０】
0005184157.tif 000012
【図１１】
0005184157.tif 000013
【図１２】
0005184157.tif 000014